(57)【要約】【課題】鍵盤の良好な演奏性を確保しながら、外形の小型化、薄型化を図ることができる鍵盤楽器、及び鍵盤楽器の機能を備えた通信端末装置の提供。【解決手段】筐体部１０の第１、第２のケース１１ａ，１１ｂは、折り畳まれた閉状態と、展開された開状態との間で開閉可能であり、第１、第２のケース１１ａ，１１ｂに収納された複数の鍵３３を有する鍵盤ユニット３１ａ，３１ｂと、鍵３３の操作面３４がケース１１の合わせ面１３よりも高く配置された演奏位置と、合わせ面１３と同一かそれよりも低く配置された鍵盤収納位置との間で鍵盤ユニット３１ａ，３１ｂを移動させる鍵盤移動機構４０と、を備え、筐体部１０の開動作に応じて鍵盤ユニット３１ａ，３１ｂを鍵盤収納位置から演奏位置へ移動させ、閉動作に応じて鍵盤ユニット３１ａ，３１ｂを演奏位置から鍵盤収納位置へ移動させるように構成した鍵盤楽器１。【選択図】図３
2010019975.tif 000002
【特許請求の範囲】
【請求項１】
連結部を介して連結された第１のケースと第２のケースを有してなる筐体部を備え、
前記第１のケースと第２のケースは、互いの合わせ面が重ねられて折り畳まれた閉状態と、前記合わせ面が離間して展開された開状態との間で開閉可能であり、
前記第１のケースと第２のケースの少なくともいずれかに収納され、前記合わせ面に沿って配列された複数の鍵を有する鍵盤ユニットと、
前記鍵の操作面が前記合わせ面よりも高く配置された演奏位置と、前記合わせ面と同一高さかそれよりも低く配置された鍵盤収納位置との間で前記鍵盤ユニットを移動させる鍵盤移動機構と、を備え、
前記鍵盤移動機構は、前記筐体部の開動作に応じて前記鍵盤ユニットを前記鍵盤収納位置から前記演奏位置へ移動させ、閉動作に応じて前記鍵盤ユニットを前記演奏位置から前記鍵盤収納位置へ移動させるように構成した
ことを特徴とする鍵盤楽器。
【請求項２】
前記鍵盤移動機構は、
前記筐体部の開閉に連動して前記鍵の配列方向に移動する連動部材と、前記連動部材の移動に伴い回動する回動部材と、前記回動部材の回動に伴い前記合わせ面に対して直交する方向に移動する支持部材と、を備え、
前記支持部材の移動により、該支持部材により支持された前記複数の鍵が前記合わせ面に対して一律に移動する
ことを特徴とする請求項１に記載の鍵盤楽器。
【請求項３】
前記支持部材には、前記複数の鍵をそれぞれ回動自在に支持する鍵支点が設けられており、かつ、前記複数の鍵をそれぞれ非押鍵位置へ付勢するとともに押鍵に対する反力を発生させる付勢部材が取り付けられている
ことを特徴とする請求項２に記載の鍵盤楽器。
【請求項４】
前記鍵盤ユニットが有する白鍵と黒鍵とからなる鍵は、鍵支点を中心として回動可能に支持されており、
非押鍵状態において、
前記黒鍵の操作面は、自由端側において前記白鍵の操作面よりも高い位置に配置され、かつ、前記自由端側から前記鍵支点側に向かって白鍵の操作面との高低差が次第に小さくなり、鍵支点側において前記白鍵の操作面と同一の高さ位置となるように構成されており、
前記鍵盤移動機構は、
前記鍵支点を中心に前記複数の白鍵と黒鍵を一律に移動させ、前記合わせ面に対する前記白鍵および黒鍵の自由端側の操作面の高さ位置を変えることで、前記鍵盤ユニットを前記演奏位置と前記鍵盤収納位置との間で移動させる
ことを特徴とする請求項１に記載の鍵盤楽器。
【請求項５】
前記複数の白鍵と黒鍵それぞれを非押鍵位置へ付勢しかつ押鍵に対する反力を発生させる複数の付勢部材を備え、
前記鍵盤移動機構は、
前記複数の付勢部材を支持する支持部材と、該支持部材を前記合わせ面に対して直交する方向へ移動させる機構と、を備え、
前記複数の付勢部材の移動により、前記鍵支点を中心に前記複数の白鍵と黒鍵を一律に移動させる
ことを特徴とする請求項４に記載の鍵盤楽器。
【請求項６】
外部機器との間で通信を行う通信機能を備えた通信端末装置であって、
連結部を介して連結された第１のケースと第２のケースを有してなる筐体部を備え、
前記第１のケースと第２のケースは、互いの合わせ面が重ねられて折り畳まれた閉状態と、前記合わせ面が離間して展開された開状態との間で開閉可能であり、
前記第１のケースと第２のケースの少なくともいずれかに収納され、前記合わせ面に沿って配列された複数の鍵を有する鍵盤ユニットと、
前記鍵の操作面が前記合わせ面よりも高く配置された演奏位置と、前記鍵の操作面が前記合わせ面と同一高さかそれよりも低く配置された鍵盤収納位置との間で前記鍵盤ユニットを移動させる鍵盤移動機構と、を備え、
前記鍵盤移動機構は、前記筐体部の開動作に応じて前記鍵盤ユニットを前記鍵盤収納位置から前記演奏位置へ移動させ、閉動作に応じて前記鍵盤ユニットを前記演奏位置から前記鍵盤収納位置へ移動させる構成であり、
通信処理を実行する通信モードと、前記鍵盤による演奏を行う電子楽器モードとを切り換えて設定するモード切換手段を備え、
前記筐体部が開状態のとき、前記モード切換手段で前記電子楽器モードが設定され、前記鍵に対して楽音に関する情報を入力するための機能が割り当てられる
ことを特徴とする通信端末装置。
【請求項７】
前記モード切換手段によるモード設定を切り換えるための操作子を備え、
前記操作子の操作に応じて、前記処理モードが前記通信モードに切り換えられることで、前記筐体部が開状態のとき、前記鍵に対して通信に関する情報を入力するため機能が割り当てられる
ことを特徴とする請求項６に記載の通信端末装置。
【請求項８】
前記第１のケース又は第２のケース内の前記連結部と反対側の端部と前記鍵盤ユニットとの間に、通話用の受話部又は送話部が設けられている
ことを特徴とする請求項６又は７に記載の通信端末装置。
【請求項９】
ケースと、前記ケースに対して鍵支点を中心として回動自在に支持された複数の白鍵と黒鍵とからなる鍵を配列してなる鍵盤ユニットと、を備える鍵盤楽器において、
非押鍵状態のとき、前記黒鍵の操作面は、自由端側において前記白鍵の操作面よりも高い位置に配置され、かつ、前記自由端側から前記鍵支点側に向かって前記白鍵の操作面との高低差が次第に小さくなり、鍵支点側において前記白鍵の操作面と同一の高さ位置となるように構成した
ことを特徴とする鍵盤楽器。
【請求項１０】
押鍵・非押鍵状態に関わらず、前記黒鍵と前記白鍵の前記鍵支点側の操作面が同一の高さ位置に配置されるように構成した
ことを特徴とする請求項９に記載の鍵盤楽器。
【発明の詳細な説明】
【技術分野】
【０００１】
本発明は、鍵盤を有する鍵盤楽器、および鍵盤楽器の機能を兼ね備えた通信端末装置に関する。
【背景技術】
【０００２】
従来、例えば特許文献１に示すように、小型化を図ることで携帯性を高めた鍵盤楽器がある。一般に、鍵盤楽器は、その性質上、鍵の並び方向（横方向）に長い形状を有しているが、従来の携帯用の鍵盤楽器では、小型化を図るために、外形を折畳型や巻物型などに構成する工夫がなされている。特許文献１に記載の鍵盤楽器は、折畳可能に連結された左右のケースと、左右のケース内にそれぞれ収納された鍵盤ユニットとを備えている。そして、左右のケースが重ねられて折り畳まれる折畳配置と、左右のケースが展開されて直列に配置される展開配置との間で開閉が可能となっている。
【０００３】
左右のケースに収納された鍵盤ユニットの鍵は、一の鍵盤を成すように連続した配列を有している。そして、各鍵盤ユニットは、鍵並び方向（ケースの合わせ面と平行な方向）にスライドするように構成されている。これにより、折畳配置のとき、両鍵盤ユニットが左右に離間することで、それらの間に隙間が形成される。したがって、鍵盤ユニットが連結部の邪魔にならずケースを閉じることができる。一方、展開配置にあるとき、両鍵盤ユニットが近接して、それらの間に隙間が無い状態となる。これにより、両鍵盤ユニットの鍵が連続して配列される。したがって、両鍵盤ユニットを合わせた一の鍵盤として演奏を行うことが可能となる。
【０００４】
特許文献１に記載の鍵盤楽器では、左右のケースを折り畳む際、鍵盤ユニットがケース内に完全に収納される必要がある。そのため、鍵盤ユニットの各鍵は、左右ケースの合わせ面よりも低い位置（ケース内に入り込んだ位置）に配列されている。しかしながら、この場合、展開配置としたときにも各鍵が合わせ面よりも低い位置にあるため、ケースの縁が邪魔になるなどして、鍵盤のスムーズな演奏の妨げになるおそれがあった。このように、鍵盤ユニットのケースへの収納性を確保すると、鍵盤の演奏性が損なわれてしまうという問題があった。この場合、ケースの縁の一部を切り欠いて鍵盤の演奏性を高めることも考えらえるが、ケースの縁を切り欠くと、鍵盤楽器の見栄えや剛性が損なわれるおそれがある。
【０００５】
一方、通常の鍵盤では、特許文献２に示すように、黒鍵は、長手方向の全長に渡って白鍵よりも高く突出した状態で配列されている。したがって、このような鍵盤ユニットでは、黒鍵と白鍵を合わせた厚み寸法が必要であるため、携帯型の鍵盤楽器などに搭載する場合、薄型化の面で不向きである。また、このような鍵盤ユニットでは、鍵支点側の端部でも、白鍵よりも黒鍵の方が高く突出している。そのため、鍵支点の上にケースやパネルなどを設置する場合、黒鍵よりもさらに高い位置に設置しなければならず、白鍵の上部に余剰スペース（隙間）が生じてしまう。したがって、鍵盤楽器の薄型化を図るためには、通常の鍵盤ユニットが有する黒鍵と白鍵の配置あるいは形状を工夫することで、鍵盤ユニットを出来るだけ薄型化し、また、鍵支点近傍の余剰スペースを減らすことが必要である。
【０００６】
また、近年、携帯電話機を始めとする携帯型の通信端末装置は、多機能化が進み、本来の通信機能に加えて、ゲーム機能やＴＶ放送受信機能などの娯楽用の機能を兼ね備えたものが商品化されている。このような通信端末装置の多機能化の一環として、例えば、通信端末装置のケース内に鍵盤ユニットを設置することで、電子鍵盤楽器の機能を通信端末装置に搭載することが考えられる。しかしながら、その場合においても、上記の携帯型の鍵盤楽器と同様、鍵盤の良好な演奏性を確保しながら、通信端末装置の外形の小型化、薄型化を図る必要がある。
【特許文献１】特許３７１６７７１号公報
【特許文献２】特開２００７−３２８１８０号公報
【発明の開示】
【発明が解決しようとする課題】
【０００７】
本発明は上述の点に鑑みてなされたものでありその目的は、鍵盤の良好な演奏性を確保しながら、外形の小型化、薄型化を図ることができる鍵盤楽器、および通信端末装置を提供することにある。
【課題を解決するための手段】
【０００８】
上記課題を解決するため本発明にかかる鍵盤楽器は、連結部（２０）を介して連結された第１のケース（１１ａ）と第２のケース（１１ｂ）を有してなる筐体部（１０）を備え、第１のケース（１１ａ）と第２のケース（１１ｂ）は、互いの合わせ面（１３ａ，１３ｂ）が重ねられて折り畳まれた閉状態と、合わせ面（１３ａ，１３ｂ）が離間して展開された開状態との間で開閉可能であり、第１のケース（１１ａ）と第２のケース（１１ｂ）の少なくともいずれかに収納され、合わせ面（１３ａ，１３ｂ）に沿って配列された複数の鍵（３３）を有する鍵盤ユニット（３１ａ，３１ｂ）と、鍵（３３）の操作面（３４）が合わせ面（１３ａ，１３ｂ）よりも高く配置された演奏位置と、合わせ面（１３ａ，１３ｂ）と同一高さかそれよりも低く配置された鍵盤収納位置との間で鍵盤ユニット（３１ａ，３１ｂ）を移動させる鍵盤移動機構（４０）と、を備え、鍵盤移動機構（４０）は、筐体部（１０）の開動作に応じて鍵盤ユニット（３１ａ，３１ｂ）を鍵盤収納位置から演奏位置へ移動させ、閉動作に応じて鍵盤ユニット（３１ａ，３１ｂ）を演奏位置から鍵盤収納位置へ移動させるように構成したことを特徴とする。なお、ここでの括弧内の符号は、後述する実施形態の対応する構成要素の符号を本発明の一例として示したものである。
【０００９】
本発明にかかる鍵盤楽器によれば、筐体部の開閉動作に応じて鍵盤ユニットを鍵盤収納位置と演奏位置との間で移動させることができる。これにより、筐体部を折り畳めば、それに連動して鍵盤ユニットがケース内に収容され、筐体部を展開すれば、それに連動して鍵盤ユニットの各鍵の操作面が合わせ面よりも高い位置に配置され、鍵盤の演奏が行い易い状態となる。したがって、鍵盤の良好な演奏性を確保しながら、鍵盤楽器の外形の小型化、特に、折畳型ケースの薄型化を図ることができる。
【００１０】
上記の鍵盤楽器では、鍵盤移動機構（４０）は、筐体部（１０）の開閉に連動して鍵（３３）の配列方向に移動する連動部材（４６）と、連動部材（４６）の移動に伴い回動する回動部材（４７）と、回動部材（４７）の回動に伴い合わせ面（１３ａ，１３ｂ）に対して直交する方向に移動する支持部材（４３）と、を備え、支持部材（４３）の移動により、該支持部材（４３）により支持された複数の鍵（３３）が合わせ面（１３ａ，１３ｂ）に対して一律に移動するように構成することができる。これによれば、筐体部の開閉に応じて複数の鍵を一律に移動させる機構を、簡単な構成で実現できる。したがって、筐体部を折り畳んだ際に鍵盤ユニットをケース内に確実に収容することができ、かつ、筐体部を展開した際に鍵を合わせ面から突出させて、鍵盤による演奏を行い易くすることが可能となる。
【００１１】
また、上記の鍵盤楽器では、支持部材（４３）に、複数の鍵（３３）をそれぞれ回動自在に支持する鍵支点（Ｘ）を設け、かつ、複数の鍵（３３）をそれぞれ非押鍵位置へ付勢するとともに押鍵に対する反力を発生させる付勢部材（４５）を取り付けてもよい。これによれば、支持部材の移動に伴い、鍵支点と付勢部材とで支持した複数の鍵を一律に移動させることができる。また、押鍵に対する反力を発生させるための付勢部材を、鍵を移動させるための手段として用いるので、その分、鍵盤楽器の部品点数を少なく抑えることができ、鍵盤楽器の構成の簡素化、小型化を図ることができる。
【００１２】
また、上記の鍵盤楽器では、鍵盤ユニット（３１−２）が有する白鍵（３３Ａ）と黒鍵（３３Ｂ）とからなる鍵（３３）は、鍵支点（Ｘ）を中心として回動可能に支持されており、非押鍵状態において、黒鍵（３３Ｂ）の操作面（３４ｂ）は、自由端（Ｙ）側において白鍵（３３Ａ）の操作面（３４ａ）よりも高い位置に配置され、かつ、自由端（Ｙ）側から鍵支点（Ｘ）側に向かって白鍵（３３Ａ）の操作面（３４ａ）との高低差が次第に小さくなり、鍵支点（Ｘ）側において白鍵（３３Ａ）の操作面（３４ａ）と同一の高さ位置となるように構成されており、鍵盤移動機構（４０−２）は、鍵支点（Ｘ）を中心に複数の白鍵（３３Ａ）と黒鍵（３３Ｂ）を一律に移動させ、合わせ面（１３ａ，１３ｂ）に対する白鍵（３３Ａ）および黒鍵（３３Ｂ）の自由端（Ｙ）側の操作面（３４ａ，３４ｂ）の高さ位置を変えることで、鍵盤ユニット（３１‐２）を演奏位置と鍵盤収納位置との間で移動させる構成であってよい。
【００１３】
これによれば、非押鍵状態のとき、鍵支点側における黒鍵の操作面と白鍵の操作面とが同一の高さ位置となるので、鍵盤ユニットの鍵支点及びその近傍の厚みを薄くすることができ、鍵盤楽器の薄型化を図ることができる。加えて、鍵盤移動機構は、鍵支点を中心に複数の白鍵と黒鍵を一律に移動させ、合わせ面に対する白鍵および黒鍵の自由端側の操作面の高さ位置を変えることで、鍵盤ユニットを演奏位置と鍵盤収納位置との間で移動させる構成なので、簡単な機構で、鍵盤ユニットを移動させることができる。したがって、鍵盤の良好な演奏性を確保しながら、鍵盤楽器の外形のさらなる小型化、特に、折畳型ケースの厚み寸法の薄型化を図ることが可能となる。
【００１４】
さらに、上記構成の鍵盤楽器においては、複数の白鍵（３３Ａ）と黒鍵（３３Ｂ）それぞれを非押鍵位置へ付勢しかつ押鍵に対する反力を発生させる複数の付勢部材（４５）を備え、鍵盤移動機構（４０−２）は、複数の付勢部材（４５）を支持する支持部材（４８）と、該支持部材（４８）を合わせ面（１３ａ，１３ｂ）に対して直交する方向へ移動させる機構（４０−２）と、を備え、複数の付勢部材（４５）の移動により、鍵支点（Ｘ）を中心に複数の白鍵（３３Ａ）と黒鍵（３３Ｂ）を一律に移動させるようにしてよい。これによれば、簡単な構成で鍵盤ユニットを鍵盤収納位置と演奏位置との間で移動させることができる。また、押鍵に対する反力を発生させるための付勢部材を、鍵を移動させるための手段として用いるので、その分、鍵盤楽器の部品点数を少なく抑えることができ、鍵盤楽器の構成の簡素化、小型化を図ることができる。
【００１５】
また、本発明にかかる通信端末装置は、外部機器との間で通信を行う機能を備えた通信端末装置（１）であって、連結部（２０）を介して連結された第１のケース（１１ａ）と第２のケース（１１ｂ）を有してなる筐体部（１０）を備え、第１のケース（１１ａ）と第２のケース（１１ｂ）は、互いの合わせ面（１３ａ，１３ｂ）が重ねられて折り畳まれた閉状態と、合わせ面（１３ａ，１３ｂ）が離間して展開された開状態との間で開閉可能であり、第１のケース（１１ａ）と第２のケース（１１ｂ）の少なくともいずれかに収納され、合わせ面（１３ａ，１３ｂ）に沿って配列された複数の鍵（３３）を有する鍵盤ユニット（３１ａ、３１ｂ）と、鍵（３３）の操作面（３４）が合わせ面（１３ａ，１３ｂ）よりも高く配置された演奏位置と、鍵（３３）の操作面（３４）が合わせ面（１３ａ，１３ｂ）と同一高さかそれよりも低く配置された鍵盤収納位置との間で鍵盤ユニット（３１ａ，３１ｂ）を移動させる鍵盤移動機構（４０）と、を備え、鍵盤移動機構（４０）は、筐体部（１０）の開動作に応じて鍵盤ユニット（３１ａ，３１ｂ）を鍵盤収納位置から演奏位置へ移動させ、閉動作に応じて鍵盤ユニット（３１ａ，３１ｂ）を演奏位置から鍵盤収納位置へ移動させる構成であり、通信処理を実行する通信モードと、鍵盤による演奏を行う電子楽器モードとを切り換えて設定するモード切換手段（５８）を備え、筐体部（１０）が開状態のとき、モード切換手段（５８）で電子楽器モードが設定され、鍵（３３）に対して楽音に関する情報を入力するための機能が割り当てられることを特徴とする。
【００１６】
本発明にかかる通信端末装置によれば、鍵盤移動機構により、筐体部の開閉動作に応じて鍵盤ユニットを鍵盤収納位置と演奏位置との間で移動させることができる。これにより、筐体部を折り畳んだ際に鍵盤ユニットをケース内に確実に収容することができ、かつ、筐体部を展開した際に鍵の操作面を合わせ面よりも高く配置して、鍵盤による演奏を行い易くすることが可能となる。したがって、鍵盤の良好な演奏性を確保しながら、通信端末装置の外形の小型化、特に、折畳型ケースの薄型化を図ることができる。また、通信処理を実行する通信モードと、鍵盤による演奏を行う電子楽器モードとを切り換えて設定するモード切換手段を備え、筐体部が開状態にあるとき、モード切換手段で電子楽器モードが設定され、鍵盤に対して楽音に関する情報を入力するための機能が割り当てられるので、筐体部を開状態にすれば、鍵盤による演奏が行える状態となる。したがって、電子鍵盤楽器の機能が使い易くなり、通信端末装置の利便性が向上する。
【００１７】
また、上記の通信端末装置では、モード切換手段（５８）によるモード設定を切り換えるための操作子（３７ｃ）を備え、筐体部（１０）が開状態にあるとき、操作子（３７ｃ）の操作に応じて、処理モードが電子楽器モードから通信モードに切り換えられることで、鍵（３３）に対して通信に関する情報を入力するため機能が割り当てられるようにするとよい。これによれば、筐体部が開状態にある場合でも、通信モードに切り換えて、鍵盤に対して通信に関する情報を入力するため機能を割り当てることができるので、通信端末の機能が使い易くなり、通信端末装置の利便性がさらに向上する。
【００１８】
また、上記の通信端末装置では、第１のケース（１１ａ）又は第２のケース（１１ｂ）内の連結部（２０）と反対側の端部（２４，２６）と鍵盤ユニット（３１ａ、３１ｂ）との間に、通話用の受話部（１４）又は送話部（１５）を設けてもよい。これによれば、携帯電話機能に必要な受話部と送話部を適切な位置にコンパクトに配置することが可能となる。
【００１９】
また、本発明にかかる鍵盤楽器は、ケース（１１，７１）と、ケース（１１，７１）に対して鍵支点（Ｘ）を中心に回動自在に支持された複数の白鍵（３３Ａ）と黒鍵（３３Ｂ）とからなる鍵（３３）を配列してなる鍵盤ユニット（３１−２，３１−３）と、を備える鍵盤楽器（１−２，７０）において、非押鍵状態のとき、黒鍵（３３Ｂ）の操作面（３４ｂ）は、自由端（Ｙ）側において白鍵（３３Ａ）の操作面（３４ａ）よりも高い位置に配置され、かつ、自由端（Ｙ）側から鍵支点（Ｘ）側に向かって白鍵（３３Ａ）の操作面（３４ａ）との高低差が次第に小さくなり、鍵支点（Ｘ）側において白鍵（３３Ａ）の操作面（３４ａ）と同一の高さ位置となるように構成したことを特徴とする。
【００２０】
従来の鍵盤では、特許文献２に示すように、黒鍵は、その全体が白鍵よりも高く突出して配置されており、鍵支点側の端部でも、白鍵よりも黒鍵の方が高く突出した状態になっている。このような黒鍵と白鍵の高低差により、鍵支点側の白鍵の上部に余剰スペース（隙間）が生じてしまう。これに対して、本発明にかかる上記構成の鍵盤楽器では、鍵支点側の黒鍵と白鍵の操作面が同一の高さ位置となるように構成している。これにより、白鍵の上部の余剰スペースを無くすことができるので、鍵盤ユニットの鍵支点近傍の厚みを薄くすることができる。したがって、鍵盤楽器の外形の薄型化を図ることが可能となる。加えて、この鍵盤楽器では、黒鍵の操作面は、自由端側において白鍵よりも高い位置に配置され、かつ、自由端側から鍵支点側に向かって白鍵との高低差が次第に小さくなるように構成しているので、演奏時に操作される鍵の自由端及びその近傍においては、黒鍵が白鍵より高く突出した状態となっている。したがって、例えば、ブラインドタッチ奏法やグリッサンド奏法などが容易に行えるので、鍵盤楽器の薄型化を図りながらも、従来の鍵盤と同等の演奏操作性を確保できる。
【００２１】
さらに、上記の鍵盤楽器では、押鍵・非押鍵状態に関わらず、白鍵（３３Ａ）と黒鍵（３３Ｂ）の鍵支点（Ｘ）側の操作面（３４ａ，３４ｂ）が同一の高さ位置に配置されるようにするとよい。これによれば、鍵支点側にケースなど他の部材を設置しても、鍵動作の邪魔にならずに済むので、鍵盤楽器の厚み寸法を確実に薄くすることができる。
【発明の効果】
【００２２】
本発明にかかる鍵盤楽器および通信端末装置によれば、鍵盤の良好な演奏性を確保しながら、外形の小型化、薄型化を図ることができる。
【発明を実施するための最良の形態】
【００２３】
以下、本発明の実施形態を図面に基づいて詳細に説明する。
〔第１実施形態〕
図１乃至図３は、本発明の第１実施形態にかかる携帯電話機（鍵盤楽器、通信端末装置）１を示す図で、図１は、斜視図、図２（ａ），（ｂ）は、後述する筐体部１０が開状態の場合の正面図と側面図、図３（ａ），（ｂ）は、筐体部１０が閉状態の場合の正面図と側面図である。
【００２４】
携帯電話機１は、連結部２０を介して折畳可能に連結された第１のケース１１ａと第２のケース１１ｂ（以下、これらを単に「ケース１１」と記す場合がある。）とからなる筐体部１０を備えている。第１のケース１１ａと第２のケース１１ｂは、いずれも樹脂材などで形成された概略長方形の平板形状の部品であり、中央には、矩形状の凹部からなる収納部１２ａ，１２ｂが形成されている。連結部２０は、第１，第２のケース１１ａ，１１ｂの短手方向の端辺２８，２９を連結するヒンジ機構２１を有している。第１のケース１１ａと第２のケース１１ｂは、ヒンジ機構２１のヒンジ支点２１ａを中心に互いの内面側に設けた合わせ面１３ａ，１３ｂが回動することで、合わせ面１３ａ，１３ｂが重ねられて折り畳まれる閉状態と、合わせ面１３ａ，１３ｂが離間して同一平面上に展開される開状態との間で開閉可能になっている。収納部１２ａ，１２ｂは、第１のケース１１ａの合わせ面１３ａと第２のケース１１ｂの合わせ面１３ｂとに開口している。また、図示は省略するが、連結部２０には、筐体部１０の開閉状態を検出するための開閉検出手段が設置されている。開閉検出手段は、例えば、ヒンジ機構２１の内部に設置したスイッチなどで構成される。このスイッチは、開閉時の光量変化を検出するフォトインタラプタ式のスイッチなどであってよい。
【００２５】
また、連結部２０には、ヒンジ支点２１ａを中心に回動する一対のカム部材２２ａ，２２ｂが取り付けられている。詳細は後述するが、一対のカム部材２２ａ，２２ｂは、回動端に後述する連動バー４６の一端が連結されており、筐体部１０の開閉動作に連動して回動端がヒンジ支点２１ａに対して離間・近接する方向へ移動するようになっている。
【００２６】
図３（ａ）に示すように、第１のケース１１ａの外面２３には、操作部と表示部を兼ねたタッチパネル３７が設置されている。タッチパネル３７には、通常の携帯電話機が備えるテンキーに対応する数字／文字キー３７ａや、各種の操作キー３７ｂが設けられている。数字／文字キー３７ａは、０〜９の数字に対応するキーが一列に配列されている。各数字／文字キー３７ａには、０〜９の各数字のほか、アルファベットやかな文字などが割り当てられている。また、操作キー３７ｂには、通話キーや電子メール送受信用キー、および携帯電話の機能であるカメラ機能や電話帳機能などに対応したキーがある。さらに、タッチパネル３７には、通信に関する情報や電子楽器の演奏に関する情報を表示するための表示面３７ｃが設けられている。また、第１のケース１１ａの外面２３には、楽音や操作音など各種の音を発生するためのスピーカ１９が設置されている。
【００２７】
第１、第２のケース１１ａ，１１ｂの内部には、鍵盤ユニット３１が設置されている。鍵盤ユニット３１は、第１のケース１１ａの収納部１２ａに設置された第１の鍵盤ユニット３１ａと、第２のケース１１ｂの収納部１２ｂに設置された第２の鍵盤ユニット３１ｂ（以下、これらを単に「鍵盤ユニット３１」と記す場合がある。）とからなる。第１、第２の鍵盤ユニット３１ａ，３１ｂはそれぞれ、第１、第２のケース１１ａ，１１ｂの長手方向において合わせ面１３ａ，１３ｂに沿って配列された複数の白鍵３３Ａと黒鍵３３Ｂとからなる鍵３３を有している。また、第１のケース１１ａの収納部１２ａにおける連結部２０と反対側の端面２４と、対向する鍵盤ユニット３１ａの端面２５との間には、レシーバ（受話部）１４が設置されている。また、第２のケース１１ｂの収納部１２ｂにおける連結部２０と反対側の端面２６と、対向する鍵盤ユニット３１ｂの端面２７との間には、マイク（送話部）１５が設置されている。なお、ここでのレシーバ１４やマイク１５としては、上記の位置に受話装置や送話装置を直接設置する以外にも、受話装置や送話装置に連通する放音孔を形成したものなども含まれる。
【００２８】
図２（ｂ）に示すように、筐体部１０は、開状態で、第１のケース１１ａと第２のケース１１ｂが側方から見て一直線状に配置される。これにより、後述するように、第１、第２の鍵盤ユニット３１ａ，３１ｂの各鍵３３が同一平面上に連続して配列され、鍵盤ユニット３１ａ，３１ｂを一の鍵盤として取り扱えるようになる。そして、鍵盤ユニット３１は、後述する鍵盤移動機構４０により、鍵３３の上面に設けた操作面（見え懸かり部）３４がケース１１の合わせ面１３よりも高く配置された演奏位置（図１及び図２に示す位置）と、操作面３４が合わせ面１３と同一高さかそれよりも低く配置された鍵盤収納位置との間で移動可能となっている。
【００２９】
図４は、図２のＡ−Ａ部分を示す概略断面図である。また、図５は、ケース１１内に設置した部品の一部を示す斜視図である。なお、第１のケース１１ａの内部構成と第２のケース１１ｂの内部構成は、連結部２０に対して対称である以外、ほぼ同じであるため、以下の内部構成の説明においては、第１、第２のケース１１ａ，１１ｂやそれに関連する部品、部位を区別せずに示す。
【００３０】
収納部１２の底部近傍には、後述するスリット４１ａやスリット４１ｉなどの切り欠きを施した略平板状のベース部材４１が設置されている。ベース部材４１は、各鍵３３（白鍵３３Ａ、黒鍵３３Ｂ）に対応する位置の上面が、鍵３３の長手方向に沿って略直線状に突出しており、その部分には、鍵３３の長手方向に沿って延びる直線状のスリット４１ａが形成されている。白鍵３３Ａと黒鍵３３Ｂは、ベース部材４１の上方において、ケース１１の短手方向の一端近傍を鍵支点Ｘとし、他端近傍を自由端Ｙとして、ケース１１の短手方向に延びている。各鍵３３は、後述する鍵支持部材４３により支持されている。
【００３１】
ベース部材４１上の各鍵３３に対応する位置には、鍵スイッチ４４ａ（図４参照）を設置するためのスイッチ用穴４１ｂが形成されている。また、スイッチ用穴４１ｂの近傍には、ベース部材４１をケース１１に対して固定するためのネジ３６（図４参照）を取り付けるネジ穴４１ｃが形成されている。スイッチ用穴４１ｂの両側（ケース１１の長手方向の両側）には、鍵３３の長手方向に延びる直線溝状のスリット部４１ｉが形成されている。スリット部４１ｉは、押鍵時に鍵３３が下限位置まで下降する際、鍵３３の長手方向に沿う両側の下端辺を逃すための溝である。また、ベース部材４１の上面には、後述する回動レバー４７を取り付けるための取付部材４２が設置されている。取付部材４２は、ベース部材４１に設けた凹部内に設置された角柱状の部材で、スリット４１ａに沿って配置されており、一端が回動レバー４７に対向している。取付部材４２には、該取付部材４２をベース部材４１に固定するためのネジ３５（図４参照）を取り付けるネジ穴４２ａが形成されている。
【００３２】
ケース１１の短手方向の一端とベース部材４１との間には、鍵３３を支持する鍵支持部材４３が設置されている。鍵支持部材４３は、ケース１１の長手方向に延びる長尺状の部材である。鍵支持部材４３の上端には、所定間隔で櫛歯状に突出する複数の突起４３ａが形成されており、各突起４３ａには、各鍵３３を回動自在に軸支する鍵支点Ｘが設けられている。鍵支持部材４３は、収納部１２内に立設した板状のガイド部１８により、ケース１１の合わせ面１３に対して直交する方向（図４に示す上下方向）への進退移動のみが可能となるようにガイドされている。
【００３３】
また、収納部１２の底面とベース部材４１との間には、取付突部１１ｐと取付凹部４１ｐとの当接により配設スペースを確保された回路基板４４が設置されている。回路基板４４上のスイッチ用穴４１ｂに対応する位置には、鍵スイッチ４４ａが設けられている。一方、鍵３３の裏面の鍵スイッチ４４ａに対向する位置には、鍵スイッチ４４ａを押圧するための突起状の押圧部３３ｂが形成されている。また、鍵３３の自由端Ｙの裏面側には、鍵３３の上限位置を規制するためストッパー３３ｃが設けられている。ストッパー３３ｃは、ベース部材４１の端部に形成した係合部４１ｄに係合する小突起片からなる。
【００３４】
また、鍵支持部材４３には、鍵復帰バネ（付勢部材）４５が取り付けられている。鍵復帰バネ４５は、鍵３３を非押鍵位置へ付勢しかつ押鍵に対する反力を発生させる部材である。この鍵復帰バネ４５は、金属などの弾性材で線状に形成されており、一端が鍵支持部材４３の側面に取り付けられており、その先がスリット４１ａに挿通されて、他端がベース部材４１の上方に突出して、鍵３３（白鍵３３Ａ，黒鍵３３Ｂ）の自由端Ｙ近傍の裏面に弾接している。これにより、鍵支点Ｘを中心に回動自在に支持された鍵３３が非押鍵位置（上限位置）へ付勢支持されるようになっている。
【００３５】
図４及び図５に示すように、収納部１２内には、鍵盤ユニット３１を演奏位置と鍵盤収納位置との間で移動させる鍵盤移動機構４０が設置されている。鍵盤移動機構４０は、筐体部１０の開閉に連動して鍵３３の配列方向に移動する連動バー（連動部材）４６と、連動バー４６の移動に伴い回動する回動レバー（回動部材）４７と、回動レバー４７の回動に伴いケース１１の合わせ面１３に対して直交する方向に移動する鍵支持部材４３とで構成されている。連動バー４６は、収納部１２の底面近傍において、連結部２０から収納部１２の端部２４，２６の近傍まで鍵支持部材４３と平行に延在する直線棒状の部材である（図６参照）。連動バー４６は、既述のように、一端がヒンジ機構２１のカム部材２２の回動端に連結されている。これにより、筐体部１０の開閉によるカム部材２２の回動に伴い、連動バー４６が長手方向に進退移動するようになっている。
【００３６】
回動レバー４７は、鍵支持部材４３と取付部材４２の間に回動自在に設置された小片状の部品で、連動バー４６の長手方向において所定間隔で複数個が設置されている。回動レバー４７は、短い棒形状で、中心に設けた回動軸４７ａが取付部材４２の端面に係合している。これにより、回動レバー４７は、連動バー４６の長手方向に沿う垂直面内で回動自在になっている。そして、図４に示すように、回動レバー４７の一端に設けた連結軸４７ｂが連動バー４６の側面に回動自在に係合しており、かつ、回動レバー４７の他端に設けた連結軸４７ｃが鍵支持部材４３の側面に設けたガイド溝４３ｂに挿入されている。ガイド溝４３ｂは、鍵支持部材４３の長手方向に延びる直線状の長穴であり、連結軸４７ｃは、回動レバー４７の回動に伴い、ガイド溝４３ｂ内をその長手方向に沿って移動可能である。
【００３７】
図６は、鍵盤移動機構４０による鍵盤ユニット３１の動作を説明するための図で、（ａ），（ｃ）は、ケース１１内の断面図（図２のＡ−Ａ断面図）、（ｂ），（ｄ）は、鍵盤移動機構４０の構成部品を示す概略図である。そして、同図（ａ），（ｂ）は、筐体部１０が開状態での各部材の配置を示しており、同図（ｃ），（ｄ）は、筐体部１０が閉状態での各部材の配置を示している。
【００３８】
筐体部１０が開状態では、図６（ｂ）に示すように、カム部材２２が連動バー４６を押し出す方向（同図のＰ方向）へ回動しており、連動バー４６がヒンジ支点２１ａから離れる方向（同図のＱ方向）へ一杯に移動している。これに伴い、回動レバー４７が連結軸４７ｃをヒンジ支点２１ａ側へ動かす方向（同図のＲ方向）へ一杯に回動した状態になっている。この状態で、鍵支持部材４３がケース１１内で最上位置に上昇する。したがってこのとき、図６（ａ）に示すように、鍵支持部材４３と鍵復帰バネ４５とに支持されている複数の鍵３３（白鍵３３Ａ及び黒鍵３３Ｂ）は、それらの操作面３４ａ，３４ｂがケース１１の合わせ面１３より高い位置に突出するように持ち上げられた状態となる。
【００３９】
一方、筐体部１０が閉状態では、図６（ｄ）に示すように、カム部材２２が連動バー４６を引き込む方向（同図のＳ方向）へ回動しており、連動バー４６がヒンジ支点２１ａに近づく方向（同図のＴ方向）へ一杯に移動した状態となる。それに伴い、回動レバー４７は、連結軸４７ｃをヒンジ支点２１ａから離れた側へ動かす方向（同図のＵ方向）へ一杯に回動した状態になる。この状態で、鍵支持部材４３がケース１１内の最下位置に下降する。したがってこのとき、図６（ｃ）に示すように、鍵支持部材４３と鍵復帰バネ４５とに支持されている鍵３３（白鍵３３Ａ及び黒鍵３３Ｂ）は、それらの操作面３４ａ，３４ａがケース１１の合わせ面１３よりも低い位置になるまで下げられた状態となる。なお、本実施形態の各図では、鍵盤収納位置で、鍵３３の操作面３４ａ,３４ｂがケース１１の合わせ面１３よりも低い位置になる場合を示しているが、これ以外にも、図示は省略するが、鍵盤収納位置で、黒鍵３３Ｂの操作面３４ｂがケース１１の合わせ面１３と同一の高さ位置となるようにしてもよい。
【００４０】
この鍵盤移動機構４０では、鍵支持部材４３の移動により、鍵支持部材４３と鍵復帰バネ４５とで支持された複数の鍵３３を、合わせ面１３に対する角度を一定に保ちながら一律に移動させるようになっている。すなわち、演奏位置と鍵盤収納位置との間で移動する鍵盤ユニット３１は、白鍵３３Ａの操作面３４ａがケース１１の合わせ面１３に対して所定の角度（例えば、合わせ面１３と平行な状態、あるいは合わせ面１３に対して僅かに（数度程）傾斜した状態）を保ったまま、合わせ面１３に対して図４に示す上下方向に平行移動するようになっている。したがって、鍵盤移動機構４０では、筐体部１０の開動作に応じて鍵盤ユニット３１を鍵盤収納位置から演奏位置へ移動させ、閉動作に応じて鍵盤ユニット３１を演奏位置から鍵盤収納位置へ移動させることができる。
【００４１】
図７は、携帯電話機１の機能構成を示すブロック図である。同図に示すように、携帯電話機１は、演奏操作子５０、操作部５２、表示部５４、通信部５６、制御部５８、記憶部６０、音声処理回路６２、音源６４の各部を備えており、各部は、バス６６を介して接続されている。同図に示す演奏操作子５０は、鍵盤ユニット３１の鍵３３に該当し、操作部５２は、タッチパネル３７の数字／文字キー３７ａや操作キー３７ｂ、あるいは鍵３３に該当し、表示部５４は、タッチパネル３７の表示面３７ｃに該当する。
【００４２】
制御部５８は、操作部５２から入力される操作信号に従った処理を実行するように、携帯電話機１の各部の動作を制御する。これにより、後述する処理モードの選択を含めた各種処理動作が実行される。なお、処理動作を実行するためのプログラムは、記憶部６０に格納されている。
【００４３】
制御部５８は、処理モードとして、通信モードまたは電子楽器モードを選択して切り換えることができる。通信モードは、通話や電子メール送受信などの通信動作を行う際の処理モードであり、電子楽器モードは、鍵３３による演奏操作を行う際の処理モードである。制御部５８は、選択した処理モードに応じた処理を実行する。すなわち、この場合、制御部５８は、通信処理を実行する通信モードと、電子楽器の演奏を行う電子楽器モードとを選択して切り換えるモード切換手段として機能する。
【００４４】
電子楽器モードにおいては、鍵３３は、楽音入力用の操作子として機能するように設定される。その場合、例えば、鍵盤ユニット３１の各鍵３３に異なる音高の音が音階順に割り当てられる。一方、通信モードにおいては、鍵３３は、ダイヤル番号や文字情報などを入力するための数字／文字キーとして機能するように設定される。その場合、例えば、鍵盤ユニット３１の各鍵３３にそれぞれ数値「０」〜「９」やアルファベットなどの文字が順に割り当てられる。
【００４５】
また、通信モードにおいては、タッチパネル３７上の数字／文字キー３７ａは、電話番号やメールアドレスなどの数字・文字入力キーとして機能するように設定され、操作キー３７ｂは、通信情報の入力キーとして機能するように設定される。また、タッチパネル３７上の表示面３７ｃは、通信操作に必要な表示を行うように設定される。一方、電子楽器モードでは、タッチパネル３７上の数字／文字キー３７ａや操作キー３７ｂを電子楽器の各種設定を行うためのキーとして機能させることができ、タッチパネル３７上の表示面３７ｃを当該設定に必要な表示を行うようにできる。
【００４６】
音源６４は、電子楽器モードにおいて、鍵３３による演奏操作に応じて、例えば、ピアノやオルガンなどの鍵盤楽器を模擬した楽音を発生することができる。また、設定に応じて、ギターやバイオリンなどの弦楽器や管楽器を模擬した楽音を発生するようにしてもよい。発生した楽音は、スピーカ１９から出力される。一方、音源６４は、通信モードにおいて、操作音や効果音あるいは電話の着信音（着信メロディ）などの電子音を発生するようになっている。
【００４７】
処理モードの切り換えは、開閉検出手段で検出した筐体部１０の開閉状態に応じて行われる。すなわち、筐体部１０が閉状態では、通信モードが設定され、筐体部１０が開状態では、電子楽器モードが設定される。電子楽器モードが設定されることで、鍵３３に対して楽音に関する情報を入力するため機能が割り当てられる。
【００４８】
さらに、操作キー３７ｂに対してモード切り換え機能を割り当てることも可能である。これによれば、筐体部１０を開状態にしていても、操作キー３７ｂの操作に応じて、処理モードの設定を電子楽器モードから通信モードに切り換えることができる。これにより、鍵３３に対して通信に関する情報を入力するため機能が割り当てられるので、各鍵３３をダイヤル番号や文字情報などを入力するための数字／文字キーとして用いることができる。なお、この場合、鍵３３の操作面３４ａ,３４ｂ上に数字や文字の表示を印刷などで形成しておくと良い。このように、操作キー３７ｂに対してモード切り換え機能を割り当てておけば、筐体部１０の開閉状態に関わらず、処理モードを電子楽器モードと通信モードのいずれにも設定することが可能となる。
【００４９】
通信部５６は、通信ネットワーク５７ｂに接続された基地局５７ａとの間で無線通信を行うためのアンテナ５６ａを有しており、通信モードにおいて、制御部５８からの入力信号に従って、基地局５７ａ及び通信ネットワーク５７ｂを介して外部機器との間でデータや信号の送受信を行うようになっている。
【００５０】
記憶部６０は、磁気的記録媒体、不揮発性メモリなどで構成される。記憶部６０には、携帯電話機１のシステムプログラム、処理プログラム、及び当該プログラムの実行に必要なデータが格納されている。また、各種処理によって登録された演奏データ、電話番号データ等を所定の領域に記憶することができる。また、電子楽器モードで必要なデータとして、自動演奏データ、自動伴奏データなどの楽曲データや、演奏操作子に対する音高の割り当てなどに関するデータが格納されている。
【００５１】
音声処理回路６２は、詳細な図示は省略するが、Ａ／Ｄコンバータ、Ｄ／Ａコンバータ、ＬＰＦ（Low Pass Filter）、及び増幅器などで構成されている。音声処理回路６２には、レシーバ１４、マイク１５、スピーカ１９が接続されている。音声処理回路６２は、制御部５８から入力される楽音データなどのデジタルデータをＤ／Ａコンバータでアナログデータに変換し、増幅器を介してスピーカ１９やレシーバ１４から楽音として出力する。また、通話時にマイク１５から入力されるアナログ信号を検知すると、該アナログ信号をＡ／Ｄコンバータでデジタル信号に変換し、通信部５６へ出力する。
【００５２】
上記構成の携帯電話機１では、筐体部１０を開状態とすることで、鍵３３を露出させるとともに、処理モードを通信モードから電子楽器モードに切り換えることができる。その状態で、操作者は、鍵３３による電子楽器の演奏を行うことができる。
【００５３】
また、電子楽器モードにおいては、各種演奏モードを設定することが可能である。演奏モードの一例として、通常演奏モード、タイミング演奏モード、自動伴奏モードなどがある。順に説明すると、通常演奏モードでは、各鍵３３に対応する音が鍵３３の配列順に音階を成すように割り当てられる。これにより、鍵３３の操作で単音が発音される。したがって、鍵３３を操作することで、メロディの演奏が可能となる。また、タイミング演奏モードは、鍵３３の操作により発音タイミングが指示されるように設定する。そして、記憶部６０に格納された演奏データを読み出し、鍵３３の操作のタイミングに応じて、演奏データのメロディ構成音が順に発音されるように設定する。これにより、鍵３３の操作に応じたタイミングで発音された楽音のメロディが流れるようになる。また、自動伴奏モードでは、上記通常演奏モードの設定に加えて、記憶部６０に格納された自動伴奏データを呼び出して伴奏を流すように設定する。これにより、操作者が伴奏に合わせて鍵盤による演奏を行うことができるようになる。
【００５４】
また、電子楽器モードでは、電子楽器の演奏で発生した楽曲のデータを記憶部６０に記憶することもできる。その場合、記憶した楽曲のデータを通信モードに切り換えた際に呼び出せるようにしておけば、記憶した楽曲を電話の着信メロディや他の操作音として設定することが可能である。
【００５５】
以上説明したように、本実施形態の携帯電話機１によれば、筐体部１０の開閉動作に応じて鍵盤ユニット３１を鍵盤収納位置と演奏位置との間で移動させることができる。これにより、筐体部１０を折り畳む動作に連動して、鍵盤ユニット３１がケース１１内に収容される。また、筐体部１０を展開する動作に連動して、鍵盤ユニット３１の各鍵３３が合わせ面から突出して配置される。つまり、筐体部１０の開動作に応じて鍵盤ユニット３１がケース１１内からポップアップするようになっている（鍵盤ポップアップ機構）。したがって、鍵盤の良好な演奏性を確保しながら、携帯電話機１の外形の小型化、薄型化を図ることができる。
【００５６】
また、携帯電話機１では、鍵盤移動機構４０は、筐体部１０の開閉に連動して鍵３３の配列方向に移動する連動バー４６と、連動バー４６の移動に伴い回動する回動レバー４７と、回動レバー４７の回動に伴いケース１１の合わせ面１３に対して直交する方向に移動する鍵支持部材４３とを備え、鍵支持部材４３の移動により、該鍵支持部材４３に支持された複数の鍵３３が合わせ面１３に対して直交する方向に一律に移動するように構成している。これにより、筐体部１０の開閉に応じて複数の鍵３３を一律に移動させる機構を、簡単な構成で実現している。
【００５７】
また、本実施形態では、鍵支持部材４３には、白鍵３３Ａと黒鍵３３Ｂをそれぞれ回動自在に支持する鍵支点Ｘが設けられており、かつ、白鍵３３Ａと黒鍵３３Ｂをそれぞれ非押鍵位置へ付勢するとともに押鍵に対する反力を発生させる鍵復帰バネ４５が取り付けられている。これにより、鍵支持部材４３の移動に伴い、鍵支点Ｘと鍵復帰バネ４５とで支持した複数の鍵３３を一律に移動させることができる。また、押鍵に対する反力を発生させるための鍵復帰バネ４５を、鍵３３を移動させるための手段として用いるので、その分、部品点数を少なく抑えることができ、携帯電話機１の構成の簡素化、小型化を図ることができる。
【００５８】
〔第２実施形態〕
次に、本発明の第２実施形態にかかる携帯電話機について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。図８および図９は、第２実施形態の携帯電話機１−２を示す図で、図２のＡ−Ａ部分に相当する断面図である。図８は、鍵盤ユニット３１−２が演奏位置にある状態、図９は、鍵盤ユニット３１−２が鍵盤収納位置にある状態を示している。第１実施形態の携帯電話機１では、各鍵３３を回動自在に支持する鍵支点Ｘと鍵復帰バネ４５の両方を移動させることで、鍵盤ユニット３１をケース１１の合わせ面１３に対して直交する方向へ直線移動（合わせ面１３に対して平行な状態を保ちながら上下動）させていたのに対して、本実施形態の携帯電話機１−２では、各鍵３３を回動自在に支持する鍵支点Ｘは固定とし、鍵復帰バネ４５だけを移動させることで、鍵支点Ｘを中心に各鍵３３を回動させて、演奏位置と鍵盤収納位置との間で移動させるように構成している。以下、詳細に説明する。
【００５９】
携帯電話機１−２では、鍵支持部材４３が収納部１２の底面に固定されている。したがって、鍵支点Ｘの位置は一定である。そして、鍵支持部材４３とは別部品として、鍵復帰バネ４５を支持するバネ支持部材４８が設けられている。バネ支持部材４８は、鍵３３の配列方向に沿って延びる長尺状の部材であり、鍵支持部材４３よりも鍵３３の自由端Ｙ側に設置されている。バネ支持部材４８は、第１実施形態の鍵支持部材４３と同様、ガイド部１８によりケース１１の合わせ面１３に対して直交する方向にのみ移動可能となるようにガイドされている。鍵復帰バネ４５は、バネ支持部材４８の側面に取り付けられている。本実施形態の鍵盤移動機構４０−２は、バネ支持部材４８を移動させるようになっている。すなわち、回動レバー４７の連結軸４７ｃがバネ支持部材４８に設けたガイド溝４８ｂに係合している。鍵盤移動機構４０−２の他の構成は、第１実施形態の鍵盤移動機構４０と同様である。
【００６０】
また、本実施形態では、鍵盤ユニット３１−２が備える鍵３３（白鍵３３Ａ及び黒鍵３３Ｂ）の構成が第１実施形態の鍵盤ユニット３１とは異なっている。すなわち、本実施形態の鍵盤ユニット３１−２では、非押鍵状態のとき、黒鍵３３Ｂの操作面３４ｂは、自由端Ｙ側において白鍵３３Ａの操作面３４ａよりも高い位置に配置され、かつ、自由端Ｙ側から鍵支点Ｘ側に向かって白鍵３３Ａの操作面３４ａとの高低差が次第に小さくなり、鍵支点Ｘ側において白鍵３３Ａの操作面３４ａと同一の高さ位置となるように構成されている。
【００６１】
そして、鍵盤移動機構４０−２は、バネ支持部材４８に取り付けた複数の鍵復帰バネ４５の移動により、鍵支点Ｘを中心として複数の白鍵３３Ａと黒鍵３３Ｂを一律に回動させるようになっている。これにより、鍵盤ユニット３１−２が演奏位置にあるとき、白鍵３３Ａおよび黒鍵３３Ｂの自由端Ｙ側の操作面３４ａ，３４ｂがケース１１の合わせ面１３より高く配置され、鍵盤収納位置にあるとき、白鍵３３Ａおよび黒鍵３３Ｂの自由端Ｙ側の操作面３４ａ，３４ｂが合わせ面１３より低く配置され、白鍵３３Ａおよび黒鍵３３Ｂがケース１１内に収納される。
【００６２】
すなわち、筐体部１０が開状態となるとき、鍵盤移動機構４０−２が第１実施形態の図６（ｂ）と同様の動作をすることで、バネ支持部材４８がケース１１内で最上位置に上昇する。したがってこのとき、図８に示すように、鍵復帰バネ４５によって自由端Ｙ側が上方へ付勢支持されている黒鍵３３Ｂ及び白鍵３３Ａが鍵支点Ｘを中心に回動することで、自由端（Ｙ）側の操作面３４ａ，３４ｂがケース１１の合わせ面１３よりも高く突出する位置まで持ち上げられた状態となる。
【００６３】
一方、筐体部１０が閉状態となるとき、鍵盤移動機構４０−２が第１実施形態の図６（ｄ）と同様の動作をすることで、バネ支持部材４８が最下位置に下降する。したがってこのとき、図９に示すように、黒鍵３３Ｂ及び白鍵３３Ａが鍵支点Ｘを中心に回動することで、自由端（Ｙ）側の操作面３４ａ，３４ｂがケース１１の合わせ面１３よりも下側となる位置まで下げられた状態となる。
【００６４】
また、従来の鍵盤では、特許文献２に示すように、黒鍵は、その全体が白鍵よりも高く突出して配置されており、鍵支点側の端部でも、白鍵よりも黒鍵の方が高く突出した状態になっている。このため、黒鍵との高低差により、鍵支点の白鍵の上部に余剰スペース（隙間）が生じていた。しかしながら、本実施形態の鍵盤ユニット３１−２では、白鍵３３Ａと黒鍵３３Ｂの鍵支点Ｘ側の操作面３４ａ，３４ｂが同一の高さ位置となるように構成している。これにより、鍵支点Ｘ側の厚みの薄型化を図ることができる。したがって、携帯電話機１−２の薄型化を図ることが可能となる。加えて、この鍵盤ユニット３１−２では、演奏操作される鍵３３の自由端Ｙ及びその近傍においては、黒鍵３３Ｂが白鍵３３Ａよりも高く突出した状態となっている。したがって、ブラインドタッチ奏法やグリッサンド奏法も問題なく行えるので、鍵盤ユニット３１−２の薄型化を図りながらも、従来の鍵盤ユニットと同等の演奏操作性を確保できる。
【００６５】
〔第３実施形態〕
次に、本発明の第３実施形態にかかる鍵盤楽器について説明する。図１０は、本発明の第３実施形態にかかる電子鍵盤楽器（鍵盤楽器）７０を示す図で、（ａ）は、斜視図、（ｂ）は、（ａ）のＢ−Ｂ部分の概略断面図である。電子鍵盤楽器７０は、ケース７１と、複数の白鍵３３Ａと黒鍵３３Ｂとからなる鍵３３を配列してなる鍵盤ユニット３１−３とを備えている。鍵盤ユニット３１−３の黒鍵３３Ｂと白鍵３３Ａは、ケース７１に対して鍵支点Ｘを中心に回動自在に支持されて、横方向に配列されている。ケース７１は、樹脂材などで構成され、全体が略長方形の平板状の箱型に形成されており、上面の手前側には、鍵盤ユニット３１−３を設置するための開口部７２が形成されている。開口部７２の後方の上部には、パネル面７３及び操作面７４が配置されている。パネル面７３は、開口部７２に設置した鍵３３の鍵支点Ｘの直上位置に配置され、上端がケース７１の後方に向かって若干傾斜する傾斜平板状の部位であり、鍵３３の配列方向に沿って延びている。また、操作面７４は、パネル面７３に連続して上端が後方にさらに傾斜した傾斜平面状の部位であり、パネル面７３と同様、鍵３３の配列方向に沿って延びている。
【００６６】
パネル面７３における各鍵３３（白鍵３３Ａ及び黒鍵３３Ｂ）に対応する位置にはそれぞれ、押鍵／非押鍵状態を示すためのＬＥＤ７５が設置されている。ＬＥＤ７５は、例えば、対応する鍵３３が押鍵時に点灯し非押鍵時に消灯するようになっている。ＬＥＤ７５は、自動演奏時あるいは自動伴奏時の演奏者に対する押鍵指示用の表示として用いることも可能である。また、操作面７４には、楽音信号設定用のスイッチやボリュームなどの操作子７６が配列されている。また、演奏情報などを表示するためのＬＣＤからなる表示部７７が設けられている。
【００６７】
そして、電子鍵盤楽器７０が備える鍵盤ユニット３１−３では、図１０（ｂ）に示すように、非押鍵状態のとき、黒鍵３３Ｂの操作面３４ｂは、自由端Ｙ側において白鍵３３Ａの操作面３４ａよりも高い位置に配置され、かつ、自由端Ｙ側から鍵支点Ｘ側に向かって白鍵３３Ａの操作面３４ａとの高低差が次第に小さくなり、鍵支点Ｘ側において白鍵３３Ａの操作面３４ａと同一の高さ位置となるように構成されている。また、白鍵３３Ａと黒鍵３３Ｂは、鍵支点Ｘを中心に回動するので、押鍵・非押鍵状態に関わらず、白鍵３３Ａと黒鍵３３Ｂにおける鍵支点Ｘ側の操作面３４ａ，３４ｂが略同一の高さ位置に配置されるようになっている。
【００６８】
従来の鍵盤では、既述のように、黒鍵は、その全体が白鍵よりも高く突出して配置されており、鍵支点側の端部でも、白鍵よりも黒鍵の方が高く突出した状態になっている。このため、鍵支点の上部にパネル面を設置する場合、黒鍵よりも高い位置にパネル面を配置する必要があるため、白鍵の上部に余剰スペース（隙間）が生じてしまう。これに対して、本実施形態の鍵盤ユニット３１−３では、白鍵３３Ａと黒鍵３３Ｂの鍵支点Ｘ側の操作面３４ａ，３４ｂが同一の高さ位置となるように構成したので、白鍵３３Ａの上部の余剰スペースを無くすことが可能となる。これにより、鍵盤ユニット３１−３の厚さ寸法の薄型化、特に、鍵支点Ｘ側の厚さ寸法の薄型化を図ることができる。したがって、その分、電子鍵盤楽器７０の外形の小型化、薄型化を図ることが可能となる。
【００６９】
また、従来の電子鍵盤楽器では、押鍵表示用のＬＥＤを配列したパネル面を黒鍵よりも高い位置に設置するので、ＬＥＤが鍵の操作面（特に白鍵の操作面）から上方へ離れた位置に配置される。そのため、各鍵と押鍵表示との対応が分かり難く、押鍵表示の視認性があまり良くないという問題があった。これに対して、本実施形態の鍵盤ユニット３１−３によれば、鍵支点Ｘの位置での白鍵３３Ａと黒鍵３３Ｂの操作面３４ａ，３４ｂに高低差が無いので、押鍵表示用のＬＥＤ７５を配列したパネル面７３を操作面３４ａ，３４ｂの直上位置に配置することが可能となる。これにより、各鍵３３と押鍵表示との対応が分かり易くなり、押鍵表示の視認性を向上させることができる。
【００７０】
それに加えて、本実施形態の鍵盤ユニット３１−３では、演奏操作される鍵３３の自由端Ｙ及びその近傍では、黒鍵３３Ｂの操作面３４ｂが白鍵３３Ａの操作面３４ａよりも高く突出した状態となっている。したがって、ブラインドタッチ奏法やグリッサンド奏法も問題なく行えるので、鍵盤ユニット３１−３の薄型化を図りながらも、良好な演奏操作性を確保できる。これに対して、例えば、鍵盤ユニットの薄型化を図るために、黒鍵の自由端側の操作面を白鍵と同じ高さに構成すると、ブラインドタッチ奏法や探り弾きができなくなる。また、グリッサンド奏法がやり難くなる。また、鍵盤ユニットの薄型化を優先するために、例えば、黒鍵の自由端を突起状に形成し、自由端だけ白鍵より高く突出させる構造とすることも考えられる。しかしながら、その場合でも、やはりグリッサンド奏法がやり難いという問題がある。本実施形態の鍵盤楽器は、これらの問題点が無く、従来の鍵盤楽器と同等の演奏操作性を確保できる。
【００７１】
以上本発明の実施形態を説明したが、本発明は上記実施形態に限定されるものではなく、特許請求の範囲、及び明細書と図面に記載された技術的思想の範囲内において種々の変形が可能である。例えば、第１、第２実施形態では、第１のケース１１ａ、第２のケース１１ｂの内部にそれぞれ第１の鍵盤ユニット３１ａと第２の鍵盤ユニット３１ｂを設置した場合を説明したが、本発明では、鍵盤ユニットは、いずれかのケース内にのみ設置してもよい。その場合は、鍵盤ユニットを設置したケース以外のケースの合わせ面に、表示パネルからなる表示部や操作キーを備えた操作部、あるいはこれらの両方を備えたタッチパネルなどを配置することができる。
【００７２】
また、上記実施形態では、本発明にかかる鍵盤楽器あるいは通信端末装置の一例として、電子楽器の機能を備えた携帯電話機１（１−２）や卓上型の電子鍵盤楽器７０を挙げたが、本発明にかかる鍵盤楽器あるいは通信端末装置は、携帯電話機１（１−２）や電子鍵盤楽器７０には限定されず、それ以外にも、通信端末としての機能を持たず、電子楽器の機能のみを備えた携帯型の鍵盤楽器などでも良い。また、通信端末装置の場合は、電子メール送受信機能やインターネット閲覧機能のみを備えた通信端末装置であってもよいし、他の種類の通信端末装置であってもよい。また、本発明の鍵盤楽器や通信端末装置が備える操作部や表示部は、上記実施形態に示すタッチパネル３７には限らず、他の構成でもよい。例えば、詳細な図示は省略するが、操作キーと液晶パネルを備えたものであってもよい。
【図面の簡単な説明】
【００７３】
【図１】本発明の第１実施形態にかかる携帯電話機（鍵盤楽器、通信端末装置）１を示す斜視図である。
【図２】筐体部が開状態での携帯電話機を示す図で、（ａ）は、正面図、（ｂ）は、側面図である。
【図３】筐体部が閉状態での携帯電話機を示す図で、（ａ）は、正面図、（ｂ）は、側面図である。
【図４】携帯電話機におけるケース内の断面図（図２のＡ−Ａ部分の断面図）である。
【図５】ケース内に設置された部品の一部を示す斜視図である。
【図６】鍵盤移動機構による鍵盤ユニットの動作を説明するための図で、（ａ），（ｃ）は、ケース内の断面図（図２のＡ−Ａ断面図）、（ｂ），（ｄ）は、鍵盤移動機構の構成部品の動きを説明するための図である。
【図７】携帯電話機の機能構成を示すブロック図である。
【図８】本発明の第２実施形態にかかる携帯電話機を示す図で、図２のＡ−Ａ部分に相当する断面図である。
【図９】第２実施形態において、筐体部が閉状態でのケース内の各部品の状態を示す断面図である。
【図１０】本発明の第３実施形態にかかる電子鍵盤楽器（鍵盤楽器）を示す図で、（ａ）は、斜視図、（ｂ）は、（ａ）のＢ−Ｂ部分の概略断面図である。
【符号の説明】
【００７４】
１，１−２      携帯電話機（鍵盤楽器、通信端末装置）
１０        筐体部
１１（１１ａ，１１ｂ）  ケース（第１のケース，第２のケース）
１２（１２ａ，１２ｂ）  収納部
１３（１３ａ，１３ｂ）  合わせ面
１４        レシーバ（受話部）
１５        マイク（送話部）
２０        連結部
２１        ヒンジ機構
２１ａ        ヒンジ支点
２２（２２ａ，２２ｂ）  カム部材
３１，３１−２，３１−３  鍵盤ユニット
３１ａ        第１の鍵盤ユニット
３１ｂ        第２の鍵盤ユニット
３３（３３Ａ，３３Ｂ）  鍵（白鍵、黒鍵）
３４ａ，３４ｂ      操作面
３７        タッチパネル
４０        鍵盤移動機構
４１        ベース部材
４３        鍵支持部材（支持部材）
４５        鍵復帰バネ（付勢手段）
４６        連動バー（連動部材）
４７        回動レバー（回動部材）
４８        バネ支持部材（支持部材）
５８        制御部（モード切換手段）
７０        電子鍵盤楽器（鍵盤楽器）
７１        ケース
Ｘ        鍵支点
Ｙ        自由端
【図１】
2010019975.tif 000003
【図２】
2010019975.tif 000004
【図３】
2010019975.tif 000005
【図４】
2010019975.tif 000006
【図５】
2010019975.tif 000007
【図６】
2010019975.tif 000008
【図７】
2010019975.tif 000009
【図８】
2010019975.tif 000010
【図９】
2010019975.tif 000011
【図１０】
2010019975.tif 000012